(57)【要約】【課題】高回転により篩を駆動させた場合においても篩網の目詰まりを防止可能なとする。【解決手段】ブラシ１は、矩形の板部材から構成された本体１１と、本体１１の片面に突出して形成された突出部１２とを備え、突出部１２は、支持網の網目ピッチと同じ間隔で配列された凸部を有する。凸部は、支持網の網目に嵌り込み、支持網上をブラシ１が滑ることなく、枠体の振動とともに、突出部１２を支点として本体１１が揺動する。本体１１の揺動により、篩網に本体１１の端部が、篩網を叩き、目詰まりを抑制する。【選択図】図６
2004216267.tif 000002
【特許請求の範囲】
【請求項１】
枠部材の一方の側に設けられ、波形に形成された線材を縦横に編み上げて形成された支持網と、他方の側に設けられた篩網とを有し、枠部材を振動させることにより粉体を篩い分ける選別装置の、篩網と支持網の間に介挿されるブラシであって、
板状の本体と、該本体の支持網側の面に、同一直線状に連続して突出形成された突出部を備え、
前記突出部の先端に位置する接触端部は、支持網の網目幅より幅が小さな凸部を有している目詰まり防止用ブラシ。
【請求項２】
前記凸部は、支持網の網目の形成位置に応じて配置されている請求項１に記載の目詰まり防止用ブラシ。
【請求項３】
前記凸部は、突出部の接触端部に沿って、等間隔で形成されている請求項２に記載の目詰まり防止用ブラシ。
【請求項４】
前記凸部は、波状に連続した曲面によって構成されている請求項１〜３のいずれか１に記載の目詰まり防止用ブラシ。
【請求項５】
突出部は、本体の重心に重ねて形成されている請求項１〜４のいずれか１に記載の目詰まり防止用ブラシ。
【請求項６】
本体と突出部は、樹脂で構成されている請求項１〜５のいずれか１に記載の目詰まり防止用ブラシ。
【請求項７】
前記突出部は、接触端部の横断面形状において２つの角部を有し、その角部の頂点の角度は、それぞれ８５度以上９５度以下の範囲に形成されている請求項１〜６のいずれか１に記載の目詰まり防止用ブラシ。
【発明の詳細な説明】
【０００１】
【発明の属する技術分野】
この発明は、製粉装置の篩に装填され篩網の目詰まりを防止するブラシに係り、詳しくは、支持網の目詰まりをも抑制するブラシに関するものである。
【０００２】
【従来の技術】
従来、小麦粉等の製粉工場においては、多段式篩い分け選別機が用いられている。この選別機は、篩網が貼り付けられた枠体を上下方向に複数段収納した振動体を、駆動装置で振動させる構成であり、収納された枠体には、異なる大きさの網目を有する篩網が貼り付けられている。目詰まり防止用ブラシは、この篩網の網目の目詰まりを防止するために、各枠体内に装填されるものである。
枠体は、矩形の枠で構成され、その枠の一方の面に篩網が貼り付けられ、他方の面には、クリンプ網が装着されており、この篩網とクリンプ網の間に、目詰まり防止用ブラシが装填される。
【０００３】
このブラシの従来の構造は、図９に示されているように、矩形又は三角形の板部材５１の片面に半球状の突起部５２を設けた構成である。図１０に示されているように、突起部５２は、クリンプ網６２に接触し、枠体の振動によって、ブラシ５がクリンプ網６２上を移動すると、ブラシ５の板部材５１の端が篩網６１の下側面に接触しながら移動し、この接触しながらの移動によって、篩網６１の目に詰まった粉が落とされる構造となっている。このようなブラシ５の接触は、枠体内において、ブラシ５の板部材５１が斜めに傾斜した状態（図１０における想像線）となることで、板部材５１の端が篩網６１の下面に到達でき、粉落としが可能となる。
このようなブラシとしては、例えば、以下のようなものがある。
【０００４】
【特許文献１】
実開平０２−４８１８０号公報。
【０００５】
【発明が解決しようとする課題】
しかし、上記、従来のブラシでは、以下のような問題があった。
枠体の振動は、枠体の中心から偏心した位置を中心に、篩網の平面に沿って回転させることにより、振動を与えるもので、垂直方向へ加えられる振動は少ない。ここで、強い振動を与える目的で、駆動装置の回転を速くすると、ブラシ５自体が突起部５２を中心にコマのように回転してしまい、図１０に示されているように、板部材５１が篩網６１に対して傾斜することなく平行な状態となってしまう。このため、駆動回転を速くすると、ブラシ５が篩網６１に接触しなくなり、かえって十分な目詰まり防止効果が得られない。
【０００６】
さらに、支持網についても問題がある。支持網を構成する線材の交差部分に粉が溜まり、粉の溜まった部分が広がって、支持網の網目も粉によって小さくなってしまう。このように支持網の網目が小さくなってしまうと、振るい落とされた粉の回収効率が悪くなる。支持網上に載せられるブラシは、突起部が球形であり、また支持網を構成する線材は特定ピッチで構成された波形であるため、突起部は支持網と点接触することとなり、縦横の線材の交差部分に接触して溜まった粉を落とすという作用は期待できない。
【０００７】
この発明の目的は、高い振動で篩を駆動した場合でも篩網の目詰まりを防止でき、さらに支持網に溜まった粉をも排除できる目詰まり防止用ブラシを提供することにある。
【０００８】
【課題を解決するための手段】
以上のような目的は、以下の本発明によって達成される。
（１）  枠部材の一方の側に設けられ、波形に形成された線材を縦横に編み上げて形成された支持網と、他方の側に設けられた篩網とを有し、枠部材を振動させることにより粉体を篩い分ける選別装置の、篩網と支持網の間に介挿されるブラシであって、
板状の本体と、該本体の支持網側の面に、同一直線状に連続して突出形成された突出部を備え、
前記突出部の接触端部は、支持網の網目幅より幅が小さな凸部を有している目詰まり防止用ブラシ。
【０００９】
（２）  前記凸部の間隔は、支持網の線材の配置間隔と同じである上記（１）に記載の目詰まり防止用ブラシ。
【００１０】
（３）  前記凸部は、連続して等間隔で形成されている上記（２）に記載の目詰まり防止用ブラシ。
【００１１】
（４）  前記凸部は、波状に連続した曲線によって構成されている上記（１）〜（３）のいずれか１に記載の目詰まり防止用ブラシ。
【００１２】
（５）  突出部は、本体の重心に重ねて形成されている上記（１）〜（４）のいずれか１に記載の目詰まり防止用ブラシ。
【００１３】
（６）  本体と突出部は、樹脂で構成されている上記（１）〜（５）のいずれか１に記載の目詰まり防止用ブラシ。
【００１４】
（７）  前記突出部は、接触端部の横断面形状において２つの角部を有し、その角部の頂点の角度は、それぞれ８５度以上９５度以下の範囲に形成されている上記（１）〜（６）のいずれか１に記載の目詰まり防止用ブラシ。
【００１５】
【発明の実施の形態】
以上のような目的を達成するための本発明は以下の構成を有する。図１は本発明の目詰まり防止用ブラシ１が装填される枠体２を複数装填した選別機３の模式図であり、図２は枠体２の全体斜視図である。
【００１６】
図１に示されているように、本発明が使用される選別機３は、枠体２を上下方向に複数段収納する収納部３１と、収納部３１を振動駆動させる駆動装置３２とを備えている。枠体２は、枠部材２１と、枠部材２１の一方の側に張設された篩網２２と、他方の面に張設された支持網２３とを備えており、篩網２２と支持網２３は平行に設けられている。また、選別機３に装填される枠体２の篩網２２は、上から下へ向かう順に、篩の目が細かくなるように、篩網２２が選択されて張設されている。駆動装置３２は、収納部３１を、篩網２２の平面に平行な平面内を回転させるように駆動する。回転中心は、篩網２２の中心に対して偏心した位置に設定されている。
【００１７】
図３に示されているように、この枠体２の支持網２３は、同じピッチの波状に形成された線材を、縦材２３１と横材２３２として、縦横に編み込んで形成されている。そして、縦材２３１と横材２３２の交差部分２３０は、それぞれの線材の山部分と谷部分が交差するように構成されており、図４に示されているように、一本の線材に注目すると、谷の部分２３１ａが交差すると、隣の交差部分は山の部分２３１ｂとなるように編み込まれており、網目はほぼ正方形となるように形成されている。このように構成されて支持網２３は、縦材２３１又は横材２３２の軸方向に沿って、支持網２３を横方向（網目の面に平行な方向）に見ると、前後に重なっている線材は、交互に山の部分と谷の部分が重なった状態に見える。しかし、線材に対して斜めに交差する方向に角度を変えて支持網２３を横方向に見てみると、図４に示されているように、各線材の山の部分と谷の部分が重なって、溝２３４が現れる。
【００１８】
一方、支持網２３と篩網２２の間には、目詰まり防止用ブラシ１（以下、「ブラシ」という）が介挿されている。図５は、ブラシ１の正面図、図６は同じく側面図、図７は同じく底面図である。図５及び図６に示されているように、ブラシ１は、矩形の板部材から構成された本体１１と、本体１１の支持網２３側の面に突出して形成された突出部１２とを備えている。突出部１２は、本体１１の長辺１１１に沿って、平行に連続して設けられ、図７に示されているように、本体１１の重心１１０に重なる位置に形成されている。突出部１２の両端は、長辺１１１に直行する各短辺１１２まで達している。突出部１２の横断面の形状は、矩形に形成されており、上端部は、略矩形に形成され、内角が９０度の角部１２２、１２２が２つ形成されている。
この実施形態では、突出部１２と本体１１は同一の材料で一体に形成されている。例えば、合成樹脂で構成され、射出成形によって一体形成することもできる。
【００１９】
図６は、枠体２に装填されているブラシ１の状態を示す側面図である。以上のような構成において、ブラシ１は、突出部１２の一方の角部１２２が支持網２３に接触し、この接触点を中心として本体１１が揺動し、枠体２内では、常に斜めに傾斜状態に維持され、本体１１の一方の長辺１１１が、常に篩網２２の下面に接触した状態となる。また、反対側に傾く時には、反対側の角部１２２が支持網２３に接触し、この接触点を中心として本体１１が揺動する。このように、両端の縁辺１１１、１１１で交互に上下動する際に、２つの角部１２２、１２２の間で揺動支点が移動するので、縁辺１１１の上下動する距離が増大し、篩網２２に縁辺１１１を確実に接触させることができる。つまり、縁辺１１１が、篩網２２を下側から叩く作用が増大する。
【００２０】
また、２つの角部１２２、１２２の間隔は、突出部１２の先端を中心とする本体１１の揺動を妨げない範囲で、離れていることが好ましく、例えば、図４に示されているような、支持網２３の隣接する溝２３４の間隔と同程度の距離とすることができる。このような距離とすると、溝２３４に角部１２２が一層接触し易くなり、支持網２３の線材の谷部分や交差部分に溜まった粉に接触し、これを落とす作用が一層十分に発揮される。この角部１２２、１２２の横断面における角度は、８５度〜９５度の間、好ましくは、８８度〜９２度の間であるとよい。本実施形態では、９０度となっている。
【００２１】
さらに、突出部１２の先端部には、凸部１２３が等間隔で形成されている。凸部１２３は、突出部１２を支持網２３の上に配置した場合に、支持網２３の線材２３１、２３２で構成される矩形の網目Ｓ内に、凸部１２３が収まる位置に形成されている。この実施形態では、側面視で、突出部１２の先端部か波状に連続した曲線によって、複数の凸部１２３が等間隔で形成されている。凸部１２３は、下方に突出し、その間には、凸部１２３に対して相対的に凹んだ凹部１２４が形成され、全体として波形状に構成されている。この凸部１２３は、支持網２３隣接する網目Ｓにそれぞれ収まるように、凸部１２３の間隔は、支持網２３の間隔と同じ距離Ｌとなっている。従って、突出部１２が線材２３１、２３２に対して平行となる姿勢となると、各凸部１２３がそれぞれ網目Ｓに嵌り込む。突出部１２が線材２３１、２３２に対して平行でない場合には、角部１２２は、既述のように、図４に示される支持網２３の溝２３４に嵌り込み、支持網２３の線材の谷部分や交差部分に溜まった粉に接触し、これを落とす作用がある。
【００２２】
枠体２の中に、本発明のブラシ１が収納された状態で、選別機３を駆動させた場合のブラシ１の作用を説明する。駆動装置３２の駆動によって、篩網２２の平面に平行な平面内で、枠体２は、偏心回転する。この回転によって、網目Ｓに凸部１２３が嵌り込んでいるブラシ１に対して、２つの方向に往復動する振動が加わる。１つは、本体１１の長辺１１１に沿った方向に、もう一つは、短辺１１２に沿った方向である。短辺１１２に沿った方向に往復動（振動）させる力は、突出部１２の接触端部１２１を中心に、本体１１を揺動させる力となる。このときの支点は、角部１２２、１２２がそれぞれ交互に揺動の中心となる。また、この時、突出部１２と支持網２３との間に滑りは生じず、支持網２３と略一体となって突出部１２の接触端部が往復動するため、本体１１は、確実かつ強力に揺動し、篩網２２に与える衝撃がより強力となる。
【００２３】
また、凸部１２３が網目Ｓに嵌り込んでいるため、枠体２の回転によって、ブラシ１が支持網２３上を滑り、十分に揺動しないという現象が抑制される。このため、滑りが抑制されるので、ブラシ１が枠体２の内側に頻繁に衝突して、枠体２を傷めるといった不都合が抑制される。
【００２４】
長辺１１１に沿った方向、即ち突出部１２に沿った方向に往復動（振動）させる力は、ブラシ１を突出部１２に沿って移動させる振動となる。凸部１２３は、波状の山部で構成されており、曲線により形成されているので、凸部１２３は網目Ｓに嵌り込んだ状態から、容易に線材２３１、２３２を乗り越えて、隣の網目Ｓに移動することができる。このため、適宜枠体２内を移動して、篩網２２に対して均一に目つまり防止作用を発揮することができる。
【００２５】
従って、凸部１２３の形状は、円弧の凸に限らず、傾斜する２直線で構成された３角形形状に構成されていてもよい。この場合、３角形の頂点の角度は、鈍角であることが好ましく、より好ましくは、１１５度以上であるとよい。
【００２６】
なお、突出部１２は、本体１１と一体形成することなく、別個に形成して、本体１１に固定してもよく、本体１１とは異なる材質、例えば、金属や他の合成樹脂等で構成してもよい。突出部１２の長さは、本体１１の両端に達していなくても良い。さらに、本体１１の形状は、矩形に限らず、正方形や、三角形等の他の多角形、円形であってもよい。
【００２７】
また、凸部１２３の形成位置は、等間隔でなくてもよく、網目Ｓの位置に対応した位置であれば、形成位置の間隔が等しくなくてもよい。また、形成されている個数も、１つ以上であれば、特に限定されない。さらに、図８に示されているように、突出部１２は、同一直線上であれば、２つ以上に分割されていてもよい。
【００２８】
【発明の効果】
請求項１に記載の発明によれば、突出部の接触端部が支持網に接触し、この接触する角部を中心して本体が揺動する。そして、枠部材内では、ブラシの本体は、常に斜めに傾斜した状態に維持され、本体の一方の端辺が、常に篩網の下面に接触した状態となる。突出部は、接触端部で支持網に線接触することになるので、枠体の回転振動が速くなった場合にも、コマのように回転することがなく、本体を常に傾斜した状態とすることができる。また、枠体の回転によって、本体の傾斜方向が変化・揺動する度に、本体の縁辺が篩網を下側から叩く作用を発揮する。この本体の縁辺による篩網を叩く作用によって、篩網の目詰まりが抑制される。
【００２９】
さらに、突出部の凸部は、支持網の網目に嵌り込み、本体の揺動を、確実かつ強力なものとでき、目つまり防止作用を一層強化できる。
【００３０】
請求項２に記載の発明によれば、凸部が支持網の網目の位置に応じて形成されているので、凸部が網目に嵌り込み易く、本体の揺動を一層強化できる。
請求項３に記載の発明によれば、凸部をさらに等間隔で構成することで、支持網に対する粉落とし作用を一層強化することができる。
請求項４に記載の発明によれば、突出部の接触端部を波状の連続した曲線により構成して凸部を形成することによって、枠体の回転によって、支持網上を滑ることなく、適宜枠体２内を移動することができ、篩網２２に対して均一に目つまり防止作用を発揮することができる。
【００３１】
請求項５に記載の発明によれば、突出部を本体の重心に重ねることで、本体の揺動がより容易となり、篩網の目詰まりを防止する効果が向上する。
請求項６に記載の発明によれば、本体と突出部を樹脂で構成することによって、安価に製造できる。
請求項７に記載の発明によれば、本体の揺動を妨げない範囲の距離で、２つの角部を突出部に設けることで、本体縁辺の上下揺動距離が増し、本体の縁辺が篩網を叩く作用がさらに向上する。また、２つの角部が、支持網に形成される溝から粉を掻きだし、粉の堆積を防止する作用を倍化させる。
【図面の簡単な説明】
【図１】本発明の目詰まり防止用ブラシが装填される枠体を複数装填した選別機の模式図である。
【図２】本発明の目詰まり防止用ブラシが装填される枠体の全体斜視図である。
【図３】支持網の全体斜視図である。
【図４】支持網の側面視図である。
【図５】本発明の目詰まり防止用ブラシの正面図である。
【図６】同じく側面図である。
【図７】同じく底面図である。
【図８】他の構成例を示す目詰まり防止用ブラシの側面図である。
【図９】従来のブラシの構造を示す全体斜視図である。
【図１０】従来のブラシの枠体内での姿勢を示す、枠体の部分断面図である。
【符号の説明】
１  目詰まり防止用ブラシ
１１  本体
１１０  重心
１１１  長辺
１１２  短辺
１２  突出部
１２２  角部
１２３  凸部
２  枠体
２１  枠部材
２２  篩網
２３  支持網
２３１  縦材
２３２  横材
２３４  溝
３  選別機
【図１】
2004216267.tif 000003
【図２】
2004216267.tif 000004
【図３】
2004216267.tif 000005
【図４】
2004216267.tif 000006
【図５】
2004216267.tif 000007
【図６】
2004216267.tif 000008
【図７】
2004216267.tif 000009
【図８】
2004216267.tif 000010
【図９】
2004216267.tif 000011
【図１０】
2004216267.tif 000012